(57)【要約】 【課題】交通機関による長時間の移動で、着座による脚部の血液の下降を防ぐよう、両脚を座席とほぼ同じ高さに保てる脚置き具であり、使用者の様々な姿勢に対応でき、更には乗物に限らず、設置可能な支持部がある場所において使用でき、簡易な構成で軽量であり、持ち運びに便利な携帯用脚置き具を提供する。【解決手段】脚置き具１の一端にベルト状２と６を設け、設置箇所である支持部１２に装着し、脚置き具１のベルト状２と６が付いていない一端を使用者の座席に広げ着座し、設置箇所である支持部１２の方に向かって脚をのせ、一端を使用者の体重のみで支えることを特徴とする。【選択図】図１
2020203550.tif 000002
【特許請求の範囲】
【請求項１】
この発明は、使用者が着座時の脚の疲労を解消または予防するための脚置き具であり、その本体は腰幅以上のシート状で、設置先である支持部と連結するためのベルト状を備えた構成であり、前記シート状本体の一端を設置箇所である支持部に装着、もう一端は使用者の臀部によって支えることを特徴とするハンモック型脚置き具である。
【請求項２】
前記脚置き具本体には、開口部に留具を設けた袋部を備えており、その袋部は梱包時に脚置き具本体を複数回折り畳んで表裏反転させ、その脚置き具本体を袋部内側に収納してポーチ形状に変形させることができ、小型軽量で携帯に便利な請求項１のハンモック型脚置き具である。
【請求項３】
前記脚置き具に備えられたベルト状には、長さ調節具を有しており、使用者は好みの長さで脚置き具を使用することができ、また、ねじれ防止目的の回転具を有した着脱自在の部材を備え、設置箇所である支持部に接続又は分離を可能にした構成である請求項１又は２のハンモック型脚置き具である。
【発明の詳細な説明】
【技術分野】
【０００１】
この発明は、長時間の着座中、使用者の様々な姿勢変化に対応でき、両脚を座席の高さとほぼ同じ高さに保て、脚を休ませ疲労を防ぐ為の携帯用脚置き具に関する物である。
【０００２】
この発明は、脚置き具としてだけではなく、長時間の着座中、ズレたり落下したりしない簡易防寒具としても利用可能な物である。
【背景技術】
【０００３】
従来、鉄道や航空機、バス、自動車等の交通機関において比較的長距離の移動をする場合、脚置き台が取り付けられていない座席に着席する乗客は、狭い座席に長時間同じ姿勢で座り、足を床面に置いたり、脚を組んだりする姿勢を取ることが多いが、このような姿勢で長時間着席すると疲労が大きいうえ、両脚を下げていることから脚部全体の血液循環が低下し、下脚部に血栓が生じる病気である旅行者血栓症（エコノミークラス症候群）等を引き起こすことが問題になっている。
【０００４】
さらに、座席にリクライニング機能があり後方に倒すことができてもなお、両脚を低く垂れ下げた姿勢では脚部の血液の下降は改善されず、激しい疲労感を何とか改善しようと、体を右左に動かし、両脚を前列座席背後のパンフレット入れのポケットにひっかけようとしてもがいている様子が多々見受けられることから、肉体的にも精神的にもストレス状態にあると思われる。
【０００５】
従来、飛行機や列車等で移動中の乗客は、前述の疲労が原因で体を動かすことにより、貸し出される毛布などの防寒具がズレたり落下している。特に上半身で使用時には、身体と座席背面に毛布などを押さえ込んで落下を防ごうとしている様子が多々見受けられる。
【０００６】
本出願人の知人に循環器障害者がおり、前述の交通機関による脚部の血液下降による脚のだるさには、常に悩まされていると知り、改善策の必要性を強く感じていた。
【０００７】
前述の環器障害者は、交通機関だけでなく、長時間の椅子による着座時でも脚部全体の血液循環が低下し、血液の下降による脚のだるさで大変に疲労している。
【先行技術文献】
【特許文献】
【０００８】
【特許文献１】（公報種別）特許公報（Ｂ１）      （特許番号）特許第５３９０６８９号（Ｐ５３９０６８９）      （登録日）平成２５年１０月１８日（２０１３．１０．１８）      （発行日）平成２６年１月１5日（２０１4．１．１5）      （発明の名称）携帯用フットレスト      （氏名又は名称）山本  真喜
【特許文献２】（公報種別）公開特許公報（Ａ）       （特許番号）特開２００１―１４９１８２（Ｐ２００１―１４９１８２Ａ）       （公開日）平成１３年６月５日（２００１．６．５）      （発明の名称）フットレスト        （審査請求）未請求      （氏名又は名称）株式会社コンサイス
【特許文献３】（公報種別）公開特許公報（Ａ）      （特許番号）特開平１１―４３０９９       （公開日）平成１１年２月１６日（１９９９）      （発明の名称）      （審査請求）未請求      （氏名又は名称）足達  和子
【非特許文献】
【０００９】
【非特許文献１】フットレスト 飛行機 機内 足置き         販売会社名ｊｕｅｇｏ        フットレスト セパレート 飛行機 機内 足置き 足掛け 足乗せ 新幹線 高速バス 旅行 トラベル 旅行用便利グッズ リラックス 快適 旅行用品 機内持ち込み可（メール便送料無料）        インターネットURL：https://item.rakuten.co.jp/forthon/r077/        ｏｎｌｉｎｅ    平成３１年１月３１日検索
【発明の概要】
【発明が解決しようとする課題】
【００１０】
従来、鉄道や飛行機、バス、自家用車の交通機関において、比較的長距離の移動をする場合、乗客は両脚を下げていることから、脚部の血液の下降による脚のだるさで疲労感があり、それは座席がリクライニングになり後方に倒すことができても両脚を低く垂れ下げた姿勢であることに変わりはなく、脚部の血液の下降は改善されず脚の疲労感を何とかしたいと体を右左に動かしたり、両脚を前列座席背後のパンフレット入れのポケットに脚をひっかけようとしてもがいており、それを解決する為に複数の携帯用足掛け具が知られている。（上記特許文献１参照）（上記特許文献２参照）（上記特許文献３参照）（上記非特許文献参照）
【００１１】
更に、飛行機の機内では、貸し出される毛布を上半身に利用する乗客も多く、前述の疲労により体を動かすことによって毛布のズレが生じる。それを、乗客は何度も自分の肩と座席背面に毛布を押さえ込んでズレや落下を防いでいる姿が多々見られる。
【００１２】
脚の疲労を改善する目的としての特許文献１と特許文献２は、共に床から少しは脚が上がるのだが、それでも両脚は身体より下がった状態で同じ姿勢であることに変わりはなく、脚部の血液の下降は改善されず、問題が解決されるわけではないと思われる。
【００１３】
また特許文献２は空気で膨らませるタイプであり、空気注入用ポンプが必要で荷物が一つ増え、また空気注入用ポンプが無い場合は空気口から直接口で空気を注入する為、衛生面の不安もあり、また肺機能など体力的な問題を抱えている乗客は空気の注入自体が困難であると思われる。
【００１４】
更に特許文献２は、穴が開いてしまっては使用が困難であり、使用中や梱包などの取り扱いに慎重にならなければならない。
【００１５】
前述の知人の循環器障害者は、上記の空気で膨らませるタイプの特許文献２と同様の商品を数年前に購入し、実際に航空機内のエコノミー席で使用してみたところ、クッション性があり柔らかいのは良いのだが、少々脚が床から上がる程度であり、疲労や浮腫の直接の原因である脚部の血液の下降は改善されず、問題が解決されるわけではなかった。
【００１６】
また、上記特許文献２と同様の商品を知人の循環器障害者が航空機内のエコノミー席で使用中に、狭い脚下の大部分の空間をこの商品が占領することになり、脚下スペースがなくなり、トイレなどの離席の際に履物を履くのに非常に邪魔であった。
【００１７】
前述の循環器障害者は、上記特許文献２で脚部の血液の下降防止が解決されなかった為、次に非特許文献と同様の商品を購入し、航空機内のエコノミー席で使用してみたところ、左右の脚を分けて載せるセパレート式で脚の自由度はあるのだが、長さ調節可能な商品ではあるものの、それでも少々脚が床から上がる程度であり、本来の目的である疲労や浮腫の直接の原因である脚部の血液の下降は改善されず、問題が解決されるわけではなかった。
【００１８】
また、上記非特許文献と同様の商品は脚元にぶら下げて使用するのだが、知人の循環器障害者が使用中に隣席の乗客がトイレなどで一時的に離席する際に邪魔であり、前列席背面に設置されている雑誌などを入れるポケットに一時的に収納を試みたのだが、足を置く部分の素材が板状である為、折れ曲がらないよう注意が必要であり、急ぐ際には適していないと思った。
【００１９】
知人の循環器障害者は、脚部をできるだけ腰部と同じ高さに保てるのが理想であり、その為に発明された特許文献３ではあるが、今回の発明を必要とされる乗客のほとんどは、経済的な理由から飛行機ではエコノミー席に座る乗客であり、特許文献３の代表図面５のように一般的な身長の大人が膝を真っ直ぐに伸ばせるほどエコノミー席では前列席との座席間隔がなく、脚を真っ直ぐに伸ばして座ることは無理であると思われる。
【００２０】
また、特許文献３では、一辺を折り畳み式テーブルの両腕部に固定し、反対側は乗客の腰部に直接ベルトを取りつけ固定する為、使用者は腰部のベルトのせいで窮屈であると思われ、更にテーブル両腕部と身体が一体となり、瞬時に離席することが困難であり、ときに隣席人がトイレなどで離席する際に、解除に時間がかかり隣席人に迷惑をかけることや、緊急時に危険があると思われる。
【００２１】
公開されている特許文献や市販されている物は、梱包時の保管袋は本体とは別々である事が多く、航空機や列車、高速バスなどの公共交通機関に限って言えば、限られた狭い個人スペースが故に袋を紛失する可能性が高く、また床面に落下した際は、脚元の空間が狭く、探すこと、拾うことの両方が困難である。
【課題を解決するための手段】
【００２２】
そこで、本発明は上記問題点を参考にして、簡易な構成で小型軽量であり携帯に便利で、使用者の様々な姿勢変化に対応し脚を置くことができ、また脚部をできるだけ腰部と同じ高さに保って脚部が水平に近い状態にできることにより、脚部の血液の下降を防ぎ乗客の苦痛を軽減できると発明されたもので、脚置き具として使用している場合に離席する際は、変形や破損などを気にせず瞬時に前列席の背面に設置された雑誌などを入れるポケット等に一時的に入れることが簡単であり、また梱包用の袋を本体と一体にすることによって紛失を防ぎ、且つ脚置き具としてだけではなく、落下やズレ防止の防寒具としても利用可能な携帯用吊り下げ型脚置き具を提供することを目的とする。
【００２３】
本発明は、前述の課題を解決する為の基本的な仕組みとして、長尺の布部材を脚置き具本体１とし、それを所定の部材につり下げて使用する為、本体からその吊り下げる部材までの長さ以上を有した紐状２と６を本体に設けた脚置き具であり、その紐状には長さ調節具４と、捩れ防止目的の回転具７１が付いた着脱可能な部材７を設け、更に紐状２と６だけでは短い時に延長を可能とする為、脚置き具本体１と脱着可能にした、長さ調節具９と、捩れ防止目的の回転具１１１が付いた部材１１を設け、これにより使用者は簡単に本体の設置が可能となり、脚部をできるだけ腰部と同じ高さに保って脚部の血液の下降を防ぐことにより、上述課題を解決した。
【００２４】
脚置き具本体１に、開口部にボタン１２５が付いた収納部を備え、脚置き具として利用時には小物入れとし、また上半身の防寒具として利用の際は、取り外した別体の紐状１０の保管用収納部として開口部を閉じ紛失を防ぐことができ、簡易な構成で軽量であり、その収納部は本体を複数回折り畳み表裏反転させ旅行時に携帯するのにコンパクトな把手付きのポーチ型に変形できるようにし、梱包時の保管袋を脚置き具本体と一体にし紛失を防ぐ仕組みにした。
【００２５】
本発明の脚置き具本体は折り畳み可能な素材とし、板状の部分がない為、梱包や設置、解除が簡単であるようにした。
【発明の効果】
【００２６】
本発明の脚置き具１は、設置スペースが制限された中で、両脚を広い面で使用者の脚部を支えることができる為、着席者の様々な姿勢変化に対応でき、両脚が自由となり、あぐらをかく姿勢も可能であり、長時間の着座時の脚の疲労予防、浮腫予防の目的である両脚の血液の下降を防ぎ、旅行者血栓症（エコノミークラス症候群）等予防となり、長時間の移動でもリラックス効果をもたらす仕組みにした。
【００２７】
図面１に記された脚置き具本体１の紐状が取り付けられていない一端は、使用者の身体に直接固定せず、使用者の体重だけで支える為、隣席人の移動や緊急時に即座に解除ができるようにし、
板状部分が無くコンパクトになることから、交通機関で使用中に離席する際は前列座席の背面に設置された後列乗客用の雑誌等が入っているポケットに手軽に押し込むことができるため、利用者本人が離席する際も脚元で邪魔にならず手早く離席が可能であり、また設置にも解除にも時間がかからない為、隣席人に迷惑をかけることもなく、緊急時にも素早く行動ができる仕組みにした。
【００２８】
その用途は乗物に限らず、設置可能な支持部がある場所において脚置き具本体が設置できるよう、本体と着脱可能な部材を設けた紐状を別体とし、延長も可能となり、かつ微調節ができるよう長さ調節具を取り付けた。また前記形状は1人分を想定して記述しているが、複数を併用設置したり、脚置き具本体と紐状の長さを変えることにより、事務机の下や自家用車の後部席でも使用可能になる仕組みにした。
【００２９】
また、脚置き具だけではなくエプロン型の上半身の防寒具としても使用でき、本体に設けられた紐状２と６だけで使用できるよう、別体の紐状１０は使用しないことも選択でき、また首に掛ける紐状の２と６は肌に触れることを配慮し、柔らかい表面の素材とした。
【００３０】
さらに、使用者の腹部から脚部を覆う前掛け型の下半身用の防寒具としても使用でき、本体１に設けられた紐状２と６と別体の紐状１０を接続して延長し、使用者の胴囲にその紐状を周回させ、長さ調節具で微調節することで、使用者は好みの位置で取り付けでき、また使用者の体型に合わせることが可能な前掛け型の下半身用の防寒具にもなるよう工夫した。
【００３１】
脚置き具本体１が汚れた場合、洗濯が簡単であり、常に清潔に保つことを可能とした。
【００３２】
格安航空券の登場で身近な存在となった航空機であり、また働き方改革で休日の取り方が変化し、休日や連休が取得しやすくなったことで、今後ますます航空機の利用が増加していくと思われる。航空機による長距離乗客、特に航空機のエコノミー席といわれる経済的な座席の使用頻度の高い乗客は本発明を使用することにより、飛行中の姿勢を従来以上に楽にすることができ、ことに脚部の血液の下降を防ぐことができる。その結果、疲労感を著しく軽減させ、旅行者血栓症（エコノミークラス症候群）等を防ぎ、乗客は機内で十分な休息と快適さを得ることができる。更に搭乗中の乗客のストレスを軽減させ、快適な飛行を得ることが可能となり、その結果、目的地到着後に旅の目的である観光やビジネスは、従来より充分な成果を上げることができる。
【００３３】
前述の知人の循環器障害者が１０時間程度の渡航計画があると知り、今回の発明の試作品を作成し、航空機内のエコノミー席で実際に使用してもらったところ、循環器障害者となってから１０時間程度の渡航時に、特許文献２と非特許文献と同様の商品を購入し使用した時よりも、本発明の試作品を使用した方が両脚の血液の下降を防ぐと感じ、循環器障害者となってから長距離を含め１５回前後の渡航経験の中で一番快適に機内を過ごせたうえ、今後も更に遠距離渡航にも出かける意欲と自信が出来たと報告を受け、航空機エコノミー席での利用時の効果が確かめられた。
【００３４】
前述の循環器障害者に、家族の運転する自家用車の後部座席で、１２００ＫＭ以上の数日間の国内周遊陸路移動で試作品を使用してもらい、陸路移動においても両脚の血液の下降を防ぐと感じ、快適に車内を過ごせたと報告を受け、自家用車の後部座席での利用時の効果が確かめられた。
【００３５】
梱包時の袋が本体と一体型であることで袋の紛失の心配がなく、またその袋は脚置き具や防寒具として使用時は小物入れの収納部としても利用でき、本発明はコンパクトに丸めることが可能で軽く梱包に優れており、カバンの隙間に入れ持ち歩くことが容易である。
【図面の簡単な説明】
【００３６】
【図１】脚置き具を航空機や列車、バスに用いた使用状態の概略的斜視図である。（実施例１）
【図２】脚置き具を航空機や列車、バスに設置した状態の概略的斜視図である。（実施例１）
【図３】不使用状態の分裂した脚置き具本体と、延長用のベルトの平面図である。
【図４】不使用状態の分裂した脚置き具本体のみの平面図であり、図３平面図本体の裏面である。
【図５】不使用状態の脚置き具からポーチ型にするまでの変形を表した概略的平面図である。（実施例５）図５?１から図５?６の順に折り畳む
【図６】脚置き具本体と別布で作成する収納部を、不使用状態の脚置き具本体に取り付ける順の概略的平面図である。（実施例５）            図６―１は、脚置き具本体と別布で作成する収納部の展開図である。          図６―２は、脚置き具本体と別布で作成した収納部の完成平面図である。          図６―３は、脚置き具本体に収納部を設置した平面図であり、収納部を開けた状態である。          図６―４は、収納部にボタンがついた断面図である。
【図７】脚置き具を航空機や列車、バスに設置し、様々な使用状態の概略的側面図である。（実施例１）                  図７―１は、高く設置し、あぐらをかいた状態で使用した場合。          図７―２は、低く設置し、足の裏を置いて使用した場合。          図７―３は、高く設置し、足の裏を置いて使用した場合。          図７―４は、低く設置し、ふくらはぎをあてて使用した場合。
【図８】脚置き具を自家用車前列席のヘッドレスト支柱に設置し、後部座席で使用状態の概略的斜視図である。（実施例２）
【図９】脚置き具を自家用車前列席のシート腰部に設置し、後部座席で使用状態の概略的斜視図である。（実施例２）
【図１０】脚置き具を上半身の防寒具として用いた使用状態の概略的斜視図である。（実施例３）
【図１１】脚置き具を下半身の防寒具として用いた使用状態の概略的斜視図である。（実施例４）
【発明を実施するための形態】
【００３７】
図３及び図４における上下方向として、以下、本発明について一人分の寸法として説明する。
【００３８】
洗濯可能な布製の素材で、脚置き具本体１と１４５を一般的な交通機関に設置されている一人用の座席の幅である４５CM、長さは８５CMを用意する。
【００３９】
脚置き具本体１の右側上方に、脚置き具本体を設置する目的先である支持部につり下げる為の紐状またはベルト状２を柔軟性素材で５０CM用意し、その紐状またはベルト状２の途中に、長さ調節具４を通してから、取付環３に通して折り返し、再び長さ調節具４にベルト状２を通し、脚置き具本体１と１４５に挟み込み取り付ける。その長さ調節具４があることで紐状またはベルト状２の長さ調節が可能となり、その長さ調節をすることにより、紐状またはベルト状２の余り部分である紐状またはベルト状５が発生する。
【００４０】
脚置き具本体１の上方左側に、本体を設置する目的先である支持部につり下げる為の紐状またはベルト状６を柔軟性素材で１０CM用意し、その紐状またはベルト状６の先端に、捩れ防止目的の回転具７１が付いた、開閉可能な環７を通して、脚置き具本体１と１４５に挟み込み取り付ける。
【００４１】
梱包時の把手用として紐状またはベルト状１５０を２５CM用意し、脚置き具本体１の上部に、脚置き具本体１の左端から１０CMの位置に輪状になるよう仮留めし、本体１と１４５の2枚の外周を結合する。
【００４２】
紐状またはベルト状２と６の延長用として、丈夫な紐状またはベルト状１０を１１０CM用意し、そのベルト状１０の片側先端を長さ調節具９に取付ける。その反対側の先端から捩れ防止目的の回転具１１１が付いた、開閉可能な環１１を通して折り返し、長さ調節具９に通し、紐状またはベルト状１０の片側先端に取付環８を付ける。
そして、脚置き具本体に取り付けられた開閉可能な環７と別体の紐状またはベルト状１０の先端の取付環８を接続し、脚置き具本体の取付環３と別体の紐状またはベルト状１０の先端の開閉可能な環１１を接続することにより、紐状またはベルト状は延長することができる。
【００４３】
図６を参照しながら、脚置き具本体１に具備された収納部１０１を以下に説明をする。
縦４５CM、横２５CMの長方形の布地１５５を１枚用意し、図6−1の長辺の半分の山折り線１３５で折り重ね、外周４辺を結合させ、結合させた短辺側の中心の上部から１．５ＣＭのところに、図６-２のように横方向に２ＣＭのボタン穴１３０を開ける。
【００４４】
前記で完成した収納部１０１を、ボタン穴１３０を上方にして、脚置き具本体１の紐状またはベルト状が取り付けられた上方に、脚置き具本体１の左端を１０ＣＭ空け、上端を揃えて重ね、梱包時の把手１５０を挟み込まないよう上方に出した状態で、脚置き具本体１に収納部１０１を、上方一辺を残し三辺を結合させる。
【００４５】
収納部１０１の留具を図６−４のように、脚置き具本体１の収納部１１０とその裏面になる１００の、紐状またはベルト状が取り付けられた上方の中心に、ボタン穴１３０と結合できる位置に、直径１．５CMのボタン１２５と１２０を、布地を挟むようにして取り付ける。
収納部内側に取り付けられたボタン１２５をボタン穴１３０に通して開口部を閉じることで、使用時に収納部内の物の落下を防ぐ事ができる。
ボタン１２０は梱包時に使用し、小物入れとして利用する時は使用しない。梱包方法は以下の実施例５に記述する。
【実施例１】
【００４６】
以下、交通機関の座席に着席する乗客の前には、前列座席の背部に取り付けられた後列乗客用の折り畳み式テーブルが設置されているのを前提として、本発明の実施例について説明するとともに、本発明を使用する時は、支持部であるしっかりしたテーブル１２の腕部を利用することとする。
テーブルを一旦使用時の状態に広げ、紐状またはベルト状２と６と１０を取付環３と開閉可能な環１１、取付環８と開閉可能な環７を接続して輪状にし、その輪になった紐状またはベルト状をテーブル１２の両腕部にのせる。できるだけテーブルの奥である前席背面に近づけ、テーブル１２は未使用状態に戻す。この場合、テーブルの腕部と前列座席背面の間には数ミリ程度の隙間が生じ、輪状のベルト２と６と１０はここを通過し、使用者は長さ調節具４と９で脚置き具本体１を好みの高さに調節する。
脚置き具本体１の紐状またはベルト状が付いていない後方側を使用者の座部に広げて座り、使用者は履物を脱ぎ、脚置き具１の紐状またはベルト状がついた方に両脚を置く。使用者の体重で脚置き具本体１を支える為、使用者は臀部を浮かせながら脚置き具本体１を座席後方に引っ張り、たるみを調節することで、高さの微調節が可能である。
脚置き具本体１に具備された収納部に物を入れることができ、収納部内側に取り付けられたボタン１２５をボタン穴１３０に通して開口部を閉じることで、収納部内の物の落下を防ぐ事ができる。
また図７に示すように、脚置き具本体１は、いくつかの姿勢の変化に対応できる。
【実施例２】
【００４７】
図８と図９のように、自家用車等の後部座席１５でも使用可能な脚置き具である。自家用車で使用する時は、後部座席１５でのみ使用可能であり、支持部として前列席の背もたれ腰部か前列席のヘッドレスト１６の支柱部分に、紐状またはベルト状２と６と１０を、取付環３と開閉可能な環１１及び取付環８と開閉可能な環７１を接続して支持部に取り付ける。
使用者は長さ調節具４と９を使い、脚置き具１を好みの高さに調節する。その時、掛け紐や留め具類が前列席に着座中の人物の邪魔にないように注意しながら、脚置き具１の後方を使用者の座部に広げて座り、履物を脱いで脚置き具１の紐状またはベルト状がついた方に両脚を置く。使用者の体重で１を支える為、使用者は臀部を浮かせながら１を座席後方に引っ張り、たるみを調節することで、高さの微調節が可能である。
脚置き具１に具備された１００と１０１からなる収納部に物を入れることができ、収納部内側に取り付けられたボタン１２５をボタン穴１３０に通して開口部を閉じることで、収納部内の物の落下を防ぐ事ができる。
使用する後部座席は、長座席でも、一人ずつのセパレート式の座席でも使用可能であり、また図７に示すように、脚置き具本体１は、いくつかの姿勢の変化に対応できる。
【実施例３】
【００４８】
本発明は、落下しない上半身用の防寒具としても使用でき、使用者の肩から腹部までを覆う上半身覆い部１と、首に掛ける為の紐状またはベルト状２と６を備えたエプロン型の上半身用の防寒具になる。
首紐として取付環３と開閉可能な環７を接続し輪状にし、使用者は首からかける。そして上半身を覆う胸覆い部として１をエプロンのように身体の前面にかけ、長さ調節具４を使い調節し、上半身用の防寒具として使用する。
延長用の紐状またはベルト状１０は使用しないことも選択でき、紐状またはベルト状１０を使用しない場合は、上半身覆い部１に具備された１００と１０１からなる収納部に入れ保管することができ、収納部内側に取り付けられたボタン１２５をボタン穴１３０に通して開口部を閉じることで、紐状またはベルト状１０の落下と紛失を防ぐ事ができる。
航空機や高速バスなどシートベルトが設置されている座席で使用する時は、乗務員からシートベルト確認で指摘されないよう、シートベルトが外部から見えるように使用する。
【実施例４】
【００４９】
本発明は、落下しない下半身用の防寒具としても使用でき、その場合は腰部掛け紐としてベルト状２と６、延長用の紐状またはベルト状１０を備えた、前掛け型の下半身用の防寒具になる。
取付環３と開閉可能な環１１を接続し、長さ調節具４を利用して長さを調節して使用者の腰部サイズに合わせながら周回させてから、取付環８と開閉可能な環７を接続して輪状にし、腹部を覆う下半身覆い部１を前掛けのように身体の前面にかけ、下半身用の防寒具として使用する。
航空機や高速バスなどシートベルトが設置されている座席で使用する時は、乗務員からシートベルト確認で指摘されないよう、シートベルトが外部から見えるように使用する。
【実施例５】
【００５０】
図５の添付図面を参照しながら、脚置き具１に具備された収納部を、梱包時のポーチ型に変化させる方法を以下に記述する。
図５ー１のように使用時の形に広げ、紐状またはベルト状２と６と１０を、取付環３と開閉可能な環１１、取付環８と開閉可能な環７を接続し輪状にし、長さ調節具４と９を調節しながら紐状またはベルト状２と１０をできるだけ短くする。
輪状になった紐状またはベルト状を図５ー２のように脚置き具１４５の上方で脚置き具１４５の幅からはみ出さないように束ね、脚置き具１４５の両側を中心に向かって、紐状またはベルト状を外側にはみ出さないよう折込みながら、谷折り線１４０に従い内側に折り重ねる。
さらに、脚置き具１４５の長さを図５ー３に記した谷折り線１４０に従い、上方に半分のサイズになるように折り重ねる。
それを、さらに図５ー４に記した谷折り線１４０に従い、上方に半分のサイズになるように折り重ね、脚置き具本体１だけが表面に見える形になったのを確認し、図５ー５に記したボタン１２５が取り付けられた収納部内側１１０とボタン穴１３０が開けられた本体１５５が表面になるように、脚置き具１を内面にさせ、１１０と１５５が表面になるよう表裏反転させ、長方形のポーチ型に整える。
ポーチ型になった表面は、ボタン穴１３０が開けられた本体１５５と、その反対側の面はボタン１２５が外側に取り付けられた本体１１０になり、ボタン１２５の内側に取り付けられたボタン１２０を、本体１０１側のボタン穴１３０から本体１５５側のボタン穴１３０に通し、図５ー６のポーチ型に変化し、把手１５０で持ち運びが簡単になる。
【産業上の利用可能性】
【００５１】
格安航空券の登場と航空機の性能が向上し、遠く離れた異国への移動が身近になり、日本国内の人々だけではなく、世界中の人々が航空機を使って国内旅行や海外旅行、出張に出かける頻度やチャンスが今後増加していくと思われ、特に日本では最近働き方の見直しが話題になっており、今後長期休暇が取り易くなり、海外渡航が増加していくと思われる。
しかし経済面の理由から全ての人が楽な座席を利用できるわけでもなく、特に航空機ではエコノミー席といわれる経済的な座席は、限られた狭い個人スペースの中で、いかに快適に機内を過ごせるのかが、目的地到着後の体調を大きく左右する。
本発明を使用することにより、航空機だけではなく、列車やバス、自家用車などで移動中、乗客は脚部を身体とほぼ水平に保つことが出来、血液の下降を防ぐことができる為、むくみや旅行者血栓症（エコノミークラス症候群）等が防げると思われる。
移動中の乗客に充分な休息と快適さが維持できれば、乗客のストレスを軽減させ、目的地到着後に旅の目的である観光や商用は従来より充分な成果を上げ得るものとなり、航空機でいえばエコノミー席を選択せざるを得ない状況であっても、従来より快適に移動時間を過ごすことが出来、また航空機の利用に限らず、移動手段を格段に快適に過ごすのに、大いに役立つと思われる。
【００５２】
災害時の避難所生活で、避難所での団体生活を好まない人は自家用車内で生活をする人もおり、その車内は狭いことが多く、旅行者血栓症（エコノミークラス症候群）等により最悪の場合死に至ることもあるとニュースで放送されている。
今回の発明品は、実施例２のように車内の後部座席でも使用可能なため、災害時に車内で過ごす人の一助になるのではないかと思われる。
また、避難所生活を映した映像では、床に座る避難者が多いようだが、膝を痛めている人は床に座ると立ち上がる時に苦労しており、床よりも椅子を好み、その時にも本発明を吊り下げる支持部があり使用することができれば、血液の下降による脚のむくみや疲れを予防でき、ストレスが減ると思われる。
【００５３】
長時間同じ姿勢でデスクワークをしている事務員など、血液の下降により疲れが生じ、着座中に脚を組んだり、靴を脱いだりしている人も多い。
そこで、デスクのサイズや形状は多種のため、本発明の脚置き具本体以外にフック等の部品が必要な場合もあるが、今回の発明品をデスクの下に吊り下げ、デスクワーク中に脚を置くことにより、脚のむくみや疲れを予防でき、仕事の能率が上がると思われる。
また、本発明品は薄型軽量で柔らかい素材であるため、デスクの下に設置しても邪魔にならず、万が一、地震に遭遇しても机の下は使用者の身を隠すための空間は確保されたままであり、避難時は落下物から身を守るために頭の上にのせたり、背中を覆いながら避難することもできる。
【符号の説明】
【００５４】
１  脚置き具（実施例１、２の場合）
上半身覆い部（実施例３の場合）
下半身覆い部（実施例４の場合）
２  柔軟性素材の掛け紐又はベルト状、帯状の物
柔軟性素材の掛け紐又はベルト状、帯状の首部掛け用（実施例３の場合）
柔軟性素材の掛け紐又はベルト状、帯状の腰部周回用（実施例４の場合）
３  取付環    
４  長さ調節具
５  長さ調節により発生する余りの紐状またはベルト状
６  柔軟性素材の掛け紐又はベルト状、帯状の物
柔軟性素材の掛け紐又はベルト状、帯状の首部掛け用（実施例３の場合）
柔軟性素材の掛け紐又はベルト状、帯状の腰部掛け用（実施例４の場合）
７  通常は弾性体の力で輪が閉じており、力を加えると輪が開く開閉可能な環
８  取付環
９  長さ調節具
１０  掛け紐又はベルト状、帯状の物
１１  通常は弾性体の力で輪が閉じており、力を加えると輪が開く開閉可能な環
１２  前列席背面に設置された使用者用のテーブル
１３  使用者の足の裏
１４  座席に設置された肘掛
１５  自家用車の後部座席で、使用者の着座席
１６  前列席のヘッドレスト
７１  回転具
１００  符号１の裏面に設置された収納部を現した部分
１０１  符号１４５と別布で作成された収納部の表面
１１０  符号１４５の収納部の内面であり、梱包時はポーチ型の表面になる
１１１  回転具
１２０  梱包時のポーチ型になった時の開口部を閉じるボタン
１２５  物入れとして利用する時の開口部を閉じるボタン
１３０  ボタン穴
１３５  山折り線
１４０  谷折り線
１４５  符号１の裏面
１５０  梱包時の把手
１５５  符号１４５とは別布で作成された収納部の内面であり、梱包時はポーチ型の表面になる
１６０  使用者の着座席
【図１】
2020203550.tif 000003
【図２】
2020203550.tif 000004
【図３】
2020203550.tif 000005
【図４】
2020203550.tif 000006
【図５】
2020203550.tif 000007
【図６】
2020203550.tif 000008
【図７】
2020203550.tif 000009
【図８】
2020203550.tif 000010
【図９】
2020203550.tif 000011
【図１０】
2020203550.tif 000012
【図１１】
2020203550.tif 000013
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
使用者が着座時の脚の疲労を解消、又は予防するための脚置き具であり、
腰幅以上のシート状本体の一端に長さ調節具を有したベルト状と、
それとは別体の長さ調節具を有した延長用のベルト状とを備え、
ベルト状、又は延長用ベルト状を設置箇所に装着、シート状本体のもう一端は使用者の臀部によって支えることを特徴とするハンモック型脚置き具。
【請求項２】
前記脚置き具本体には、開口部に留具を設けた袋部を備えており、その袋部は梱包時に脚置き具本体を複数回折り畳んで表裏反転させ、その脚置き具本体を袋部内側に収納してポーチ形状に変形させることができ、小型軽量で携帯に便利な請求項１のハンモック型脚置き具。
【請求項３】
前記脚置き具に備えられたベルト状と、別体の延長用のベルト状を、使用者は好みの長さで使用することができ、
また、ねじれ防止目的の回転具を有し、取付環に対して着脱自在の部材を備え、
設置箇所に接続又は分離を可能にした構成である請求項１又は２のハンモック型脚置き具。